(57)【要約】【課題】  給紙トレイ及び前カバー及び自動原稿送り装置の、装置本体に対する識別性を確保し、ユーザーの操作性を向上させて、安全に使用することが可能な画像形成装置を提供する。【解決手段】  給紙トレイの前面部５１０及び前カバーの前面部６１０及び自動原稿送り装置の上面部２１０の色彩のうち少なくとも１つの色彩が、装置本体の左側面部４１０と装置本体の右側面部４２０の色彩よりも、明るいこととする。【選択図】  図１
2005151367.tif 000002
【特許請求の範囲】
【請求項１】
装置本体に対して出し入れ可能に設けられた用紙を積載収容する給紙トレイと、装置本体の前面に開閉可能に装着された前カバーと、原稿を読み取るためのスキャナー部と、スキャナー部の前方部に配置された操作部と、原稿を積載し前記スキャナー部へ原稿を給送する自動原稿送り装置とを有する画像形成装置において、
給紙トレイの前面部及び前カバーの前面部及び自動原稿送り装置の上面部の色彩のうち少なくとも１つの色彩が、装置本体の左側面部と装置本体の右側面部の色彩よりも、明るいことを特徴とする画像形成装置。
【請求項２】
装置本体に対して出し入れ可能に設けられた用紙を積載収容する給紙トレイと、装置本体の前面に開閉可能に装着された前カバーと、原稿を読み取るためのスキャナー部と、スキャナー部の前方部に配置された操作部と、原稿を積載し前記スキャナー部へ原稿を給送する自動原稿送り装置とを有する画像形成装置において、
給紙トレイの前面部及び前カバーの前面部及び自動原稿送り装置の上面部の色彩のうち少なくとも１つの色彩が、装置本体の左側面部と装置本体の右側面部の色彩よりも、マンセルチャート（ＪＩＳ）のマンセル値における明度の差が３以上であることを特徴とする画像形成装置。
【請求項３】
給紙トレイの前面部及び前カバーの前面部及び自動原稿送り装置の上面部の色彩のうち少なくとも１つの色彩が、マンセルチャート（ＪＩＳ）のマンセル値における明度が８以上であることを特徴とする請求項１から請求項２のいずれか１項に記載の画像形成装置。
【請求項４】
操作部の色彩が、装置本体の左側面部と装置本体の右側面部の色彩と略同等としたことを特徴とする請求項１から請求項３のいずれか１項に記載の画像形成装置。
【請求項５】
装置本体に対して出し入れ可能に設けられた用紙を積載収容する給紙トレイと、装置本体から給紙トレイを引き出すために給紙トレイの前面部に設けられた取手部とを有する画像形成装置において、
給紙トレイの前面部に設けられた取手部の色彩が、給紙トレイの前面部の色彩よりも、暗いことを特徴とする請求項１から請求項４のいずれか１項に記載の画像形成装置。
【請求項６】
装置本体に対して出し入れ可能に設けられた用紙を積載収容する給紙トレイと、装置本体から給紙トレイを引き出すために給紙トレイの前面部に設けられた取手部とを有する画像形成装置において、
給紙トレイの前面部に設けられた取手部の色彩が、給紙トレイの前面部の色彩よりも、マンセルチャート（ＪＩＳ）のマンセル値における明度の差が３以上であることを特徴とする請求項１から請求項４のいずれか１項に記載の画像形成装置。
【請求項７】
給紙トレイの前面部に設けられた取手部の色彩が、マンセルチャート（ＪＩＳ）のマンセル値における明度が２以下であることを特徴とする請求項５から請求項６のいずれか１項に記載の画像形成装置。
【請求項８】
給紙トレイの前面部に設けられた取手部の色彩が、装置本体の左側面部と装置本体の右側面部の色彩と略同等としたことを特徴とする請求項５から請求項７のいずれか１項に記載の画像形成装置。
【請求項９】
装置本体に対して出し入れ可能に設けられた用紙を積載収容する給紙トレイと、装置本体の前面に開閉可能に装着された前カバーと、原稿を読み取るためのスキャナー部と、スキャナー部の前方部に配置された操作部と、原稿を積載し前記スキャナー部へ原稿を給送する自動原稿送り装置とを有する画像形成装置において、
（Ｂｙ−Ｂｘ）≧Ｌｘ／（７×Ｌｙ）
１０．０≧（Ｂｙ−Ｂｘ）≧３．０
Ｂｘ＝装置本体の側面部における明度
Ｂｙ＝給紙トレイ又は前カバーの側面部における明度
Ｌｘ＝装置本体の側面部における略水平方向の最大距離
Ｌｙ＝給紙トレイ又は前カバーの側面部における略水平方向の最大距離
上記の式を満たすことを特徴とする画像形成装置。
【請求項１０】
装置本体に対して出し入れ可能に設けられた用紙を積載収容する給紙トレイと、装置本体の前面に開閉可能に装着された前カバーと、原稿を読み取るためのスキャナー部と、スキャナー部の前方部に配置された操作部と、原稿を積載し前記スキャナー部へ原稿を給送する自動原稿送り装置とを有する画像形成装置において、
（Ｂｙ−Ｂｘ）≧Ｌｘ／（７×Ｌｙ）
１０．０≧（Ｂｙ−Ｂｘ）≧３．０
Ｂｘ＝装置本体の側面部における明度
Ｂｙ＝給紙トレイ又は前カバーの側面部における明度
Ｌｘ＝装置本体の側面部における略水平方向の最大距離
Ｌｙ＝給紙トレイ又は前カバーの側面部における略水平方向の最大距離
上記の式を満たすことを特徴とする請求項１から請求項８のいずれか１項に記載の画像形成装置。
【請求項１１】
装置本体に対して出し入れ可能に設けられた用紙を積載収容する給紙トレイと、装置本体の前面に開閉可能に装着された前カバーと、原稿を読み取るためのスキャナー部と、スキャナー部の前方部に配置された操作部と、原稿を積載し前記スキャナー部へ原稿を給送する自動原稿送り装置とを有する画像形成装置において、
（Ｂｚ−Ｂｖ）≧Ｌｚ／（３×２×Ｌｖ）
１０．０≧Ｂｚ−Ｂｖ≧３．０
Ｂｚ＝給紙トレイ又は前カバーの前面部における明度
Ｂｖ＝装置本体の前面端部における明度
Ｌｚ＝給紙トレイ又は前カバーの前面部における略水平方向の最大距離
Ｌｖ＝装置本体の前面端部における略水平方向の最大距離
上記の式を満たすことを特徴とする画像形成装置。
【請求項１２】
装置本体に対して出し入れ可能に設けられた用紙を積載収容する給紙トレイと、装置本体の前面に開閉可能に装着された前カバーと、原稿を読み取るためのスキャナー部と、スキャナー部の前方部に配置された操作部と、原稿を積載し前記スキャナー部へ原稿を給送する自動原稿送り装置とを有する画像形成装置において、
（Ｂｚ−Ｂｖ）≧Ｌｚ／（３×２×Ｌｖ）
１０．０≧Ｂｚ−Ｂｖ≧３．０
Ｂｚ＝給紙トレイ又は前カバーの前面部における明度
Ｂｖ＝装置本体の前面端部における明度
Ｌｚ＝給紙トレイ又は前カバーの前面部における略水平方向の最大距離
Ｌｖ＝装置本体の前面端部における略水平方向の最大距離
上記の式を満たすことを特徴とする請求項１から請求項８のいずれか１項に記載の画像形成装置。
【発明の詳細な説明】
【技術分野】
【０００１】
本発明は、複写機、ファクシミリ、プリンター等の画像形成装置に関する。
【背景技術】
【０００２】
従来、複写機、ファクシミリ、プリンター等の画像形成装置には、用紙を積載収容する給紙トレイや、開閉可能に装着された前カバーや、原稿を給紙搬送する自動原稿送り装置を備えたものがある。
【０００３】
一般的に、前記給紙トレイは用紙を積載収容するために装置本体に対して出し入れ可能であり、前記前カバーは装置本体内部で用紙が詰まった場合などに対応するため装置本体に対して開閉可能であり、前記自動原稿送り装置は原稿を直接コンタクトガラス上に載置するために装置本体に対して開閉可能である。このような画像形成装置の例を、特許文献１から２に見ることができる。
【特許文献１】特開平８−２９７３８７号公報
【特許文献２】特開平１０−２６８５３号公報
【発明の開示】
【発明が解決しようとする課題】
【０００４】
前記のような画像形成装置は、給紙トレイに用紙を積載収容するためには、装置本体から給紙トレイを引き出さなくてはならず、装置本体内部で紙詰まり等が発生した場合には、前カバーを開閉して装置本体内部の詰まった用紙を取り除かなくてはならない。また、コンタクトガラス上に直接原稿を載置する場合には、自動原稿送り装置を開閉するという作業を行わなくてはならない。
【０００５】
しかし従来の画像形成装置は、装置本体から引き出す給紙トレイの前面部、及び装置本体に対して開閉する前カバーの前面部、及びコンタクトガラス上に原稿を載置するために開閉する自動原稿送り装置の上面部の色彩が、装置本体の側面部及び操作部の色彩と略同等であるため、ユーザーにとって、前記給紙トレイ及び前カバー及び自動原稿送り装置が、装置本体と識別しづらく視認性が悪かった。
【０００６】
そして視認性が悪いため、給紙カセットを引き出すときや前カバーを開閉するとき等に、ユーザー自身に限らずその近傍にいる人が、給紙カセットや前カバーの装置本体に対する大きさの割合、つまり可動するものの大きさを認識することができず、引き出された給紙カセットや開閉された前カバーにユーザー自身の体を接触させることもあった。
【０００７】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバー及び自動原稿送り装置の色彩と同じように明るければ、装置全体に意識が分散し目の焦点も全体的に目移りし、給紙トレイ及び前カバー及び自動原稿送り装置という可動するものに意識を集中できないためである。
【０００８】
また機械本体内部で紙詰まりが発生した場合には、前記のように前カバーを開閉して詰まった用紙を取り除く作業を行うのとは別に、装置本体の側面部に設けられた開閉カバーを開閉して詰まった用紙を取り除く作業を行う場合がある。
【０００９】
しかし前記の場合も、従来の画像形成装置は装置本体の側面部の色彩が明るく、装置本体の側面部の色彩が、開閉カバーを開けたときに見える装置本体内部及びその状態で見える詰まった用紙の色彩とほぼ同等であったために、詰まった用紙を認識しづらく作業性が悪かった。
【００１０】
これも、上記の場合と同様に、人間は明るい方向に意識が向きやすく、その結果、目の焦点も同様に明るい方向に移っていくため、画像形成装置の側面部の色彩が明るければ、開閉カバーを開けたときに見える装置本体内部から画像形成装置の側面部全体に意識が分散し、その結果、目の焦点も画像形成装置の側面部全体に目移りし、開閉カバーを開けたときに見える装置本体内部や詰まった用紙に集中できないためである。
【００１１】
そこで本発明は、装置本体の側面部を暗い色彩にし、給紙トレイ及び前カバー及び自動原稿送り装置等の可動部を暗い色彩とすることで、給紙トレイ及び前カバー及び自動原稿送り装置等の可動部を装置本体に対して識別性を持たせると同時に、装置本体の側面部に設けられた開閉カバーを開けたときに見える装置本体内部及びその状態で見える詰まった用紙との識別性を持たせることで、ユーザーの操作性及び作業性を向上させた画像形成装置を提供することにある。
【課題を解決するための手段】
【００１２】
請求項１に記載の発明によれば、装置本体に対して出し入れ可能に設けられた用紙を積載収容する給紙トレイと、装置本体の前面に開閉可能に装着された前カバーと、原稿を読み取るためのスキャナー部と、スキャナー部の前方部に配置された操作部と、原稿を積載し前記スキャナー部へ原稿を給送する自動原稿送り装置とを有する画像形成装置において、給紙トレイの前面部及び前カバーの前面部及び自動原稿送り装置の上面部の色彩のうち少なくとも１つの色彩が、装置本体の左側面部と装置本体の右側面部の色彩よりも、明るいことを特徴とする画像形成装置を提供するものである。
【００１３】
請求項２に記載の発明によれば、装置本体に対して出し入れ可能に設けられた用紙を積載収容する給紙トレイと、装置本体の前面に開閉可能に装着された前カバーと、原稿を読み取るためのスキャナー部と、スキャナー部の前方部に配置された操作部と、原稿を積載し前記スキャナー部へ原稿を給送する自動原稿送り装置とを有する画像形成装置において、給紙トレイの前面部及び前カバーの前面部及び自動原稿送り装置の上面部の色彩のうち少なくとも１つの色彩が、装置本体の左側面部と装置本体の右側面部の色彩よりも、マンセルチャート（ＪＩＳ）のマンセル値における明度の差が３以上であることを特徴とする画像形成装置を提供するものである。
【００１４】
請求項３に記載の発明によれば、給紙トレイの前面部及び前カバーの前面部及び自動原稿送り装置の上面部の色彩のうち少なくとも１つの色彩が、マンセルチャート（ＪＩＳ）のマンセル値における明度が８以上であることを特徴とする請求項１から請求項２のいずれか１項に記載の画像形成装置を提供するものである。
【００１５】
請求項４に記載の発明によれば、操作部の色彩が、装置本体の左側面部と装置本体の右側面部の色彩と略同等としたことを特徴とする請求項１から請求項３のいずれか１項に記載の画像形成装置を提供するものである。
【００１６】
請求項５に記載の発明によれば、装置本体に対して出し入れ可能に設けられた用紙を積載収容する給紙トレイと、装置本体から給紙トレイを引き出すために給紙トレイの前面部に設けられた取手部とを有する画像形成装置において、給紙トレイの前面部に設けられた取手部の色彩が、給紙トレイの前面部の色彩よりも、暗いことを特徴とする請求項１から請求項４のいずれか１項に記載の画像形成装置を提供するものである。
【００１７】
請求項６に記載の発明によれば、装置本体に対して出し入れ可能に設けられた用紙を積載収容する給紙トレイと、装置本体から給紙トレイを引き出すために給紙トレイの前面部に設けられた取手部とを有する画像形成装置において、給紙トレイの前面部に設けられた取手部の色彩が、給紙トレイの前面部の色彩よりも、マンセルチャート（ＪＩＳ）のマンセル値における明度の差が３以上であることを特徴とする請求項１から請求項４のいずれか１項に記載の画像形成装置を提供するものである。
【００１８】
請求項７に記載の発明によれば、給紙トレイの前面部に設けられた取手部の色彩が、マンセルチャート（ＪＩＳ）のマンセル値における明度が２以下であることを特徴とする請求項５から請求項６のいずれか１項に記載の画像形成装置を提供するものである。
【００１９】
請求項８に記載の発明によれば、給紙トレイの前面部に設けられた取手部の色彩が、装置本体の左側面部と装置本体の右側面部の色彩と略同等としたことを特徴とする請求項５から請求項７のいずれか１項に記載の画像形成装置を提供するものである。
【００２０】
請求項９に記載の発明によれば、装置本体に対して出し入れ可能に設けられた用紙を積載収容する給紙トレイと、装置本体の前面に開閉可能に装着された前カバーと、原稿を読み取るためのスキャナー部と、スキャナー部の前方部に配置された操作部と、原稿を積載し前記スキャナー部へ原稿を給送する自動原稿送り装置とを有する画像形成装置において、
（Ｂｙ−Ｂｘ）≧Ｌｘ／（７×Ｌｙ）
１０．０≧（Ｂｙ−Ｂｘ）≧３．０
Ｂｘ＝装置本体の側面部における明度
Ｂｙ＝給紙トレイ又は前カバーの側面部における明度
Ｌｘ＝装置本体の側面部における略水平方向の最大距離
Ｌｙ＝給紙トレイ又は前カバーの側面部における略水平方向の最大距離
上記の式を満たすことを特徴とする画像形成装置を提供するものである。
【００２１】
請求項１０に記載の発明によれば、装置本体に対して出し入れ可能に設けられた用紙を積載収容する給紙トレイと、装置本体の前面に開閉可能に装着された前カバーと、原稿を読み取るためのスキャナー部と、スキャナー部の前方部に配置された操作部と、原稿を積載し前記スキャナー部へ原稿を給送する自動原稿送り装置とを有する画像形成装置において、
（Ｂｙ−Ｂｘ）≧Ｌｘ／（７×Ｌｙ）
１０．０≧（Ｂｙ−Ｂｘ）≧３．０
Ｂｘ＝装置本体の側面部における明度
Ｂｙ＝給紙トレイ又は前カバーの側面部における明度
Ｌｘ＝装置本体の側面部における略水平方向の最大距離
Ｌｙ＝給紙トレイ又は前カバーの側面部における略水平方向の最大距離
上記の式を満たすことを特徴とする請求項１から請求項８のいずれか１項に記載の画像形成装置を提供するものである。
【００２２】
請求項１１に記載の発明によれば、装置本体に対して出し入れ可能に設けられた用紙を積載収容する給紙トレイと、装置本体の前面に開閉可能に装着された前カバーと、原稿を読み取るためのスキャナー部と、スキャナー部の前方部に配置された操作部と、原稿を積載し前記スキャナー部へ原稿を給送する自動原稿送り装置とを有する画像形成装置において、
（Ｂｚ−Ｂｖ）≧Ｌｚ／（３×２×Ｌｖ）
１０．０≧Ｂｚ−Ｂｖ≧３．０
Ｂｚ＝給紙トレイ又は前カバーの前面部における明度
Ｂｖ＝装置本体の前面端部における明度
Ｌｚ＝給紙トレイ又は前カバーの前面部における略水平方向の最大距離
Ｌｖ＝装置本体の前面端部における略水平方向の最大距離
上記の式を満たすことを特徴とする画像形成装置を提供するものである。
【００２３】
請求項１２に記載の発明によれば、装置本体に対して出し入れ可能に設けられた用紙を積載収容する給紙トレイと、装置本体の前面に開閉可能に装着された前カバーと、原稿を読み取るためのスキャナー部と、スキャナー部の前方部に配置された操作部と、原稿を積載し前記スキャナー部へ原稿を給送する自動原稿送り装置とを有する画像形成装置において、
（Ｂｚ−Ｂｖ）≧Ｌｚ／（３×２×Ｌｖ）
１０．０≧Ｂｚ−Ｂｖ≧３．０
Ｂｚ＝給紙トレイ又は前カバーの前面部における明度
Ｂｖ＝装置本体の前面端部における明度
Ｌｚ＝給紙トレイ又は前カバーの前面部における略水平方向の最大距離
Ｌｖ＝装置本体の前面端部における略水平方向の最大距離
上記の式を満たすことを特徴とする請求項１から請求項８のいずれか１項に記載の画像形成装置を提供するものである。
【発明の効果】
【００２４】
この請求項１記載の発明により、給紙トレイの前面部及び前カバーの前面部及び原稿送り装置の上面部の色彩のうち少なくとも１つの色彩が、装置本体の左側面部と装置本体の右側面部の色彩よりも明るいことを特徴とする画像形成装置としたので、給紙トレイに用紙を積載収容するために装置本体から引き出す給紙トレイ、及び装置本体内部で紙詰まり等が発生した場合に詰まった用紙を取り除くために装置本体に対して開閉する前カバー、及びコンタクトガラス上に直接原稿を載置する場合に開閉する自動原稿送り装置と、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００２５】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバー及び自動原稿送り装置の色彩と同じように明るければ、装置全体に意識が分散し目の焦点も全体的に目移りし、給紙トレイ及び前カバー及び自動原稿送り装置という可動するものに意識を集中できず、逆に画像形成装置の側面部の色彩が、給紙トレイ及び前カバー及び自動原稿送り装置の色彩よりも暗ければ、給紙トレイ及び前カバー及び自動原稿送り装置に意識が集中し目の焦点も前記給紙トレイ及び前カバー及び自動原稿送り装置の方向に移り集中できるためである。
【００２６】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００２７】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【００２８】
この請求項２記載の発明により、給紙トレイの前面部及び前カバーの前面部及び自動原稿送り装置の上面部の色彩のうち少なくとも１つの色彩が、装置本体の左側面部と装置本体の右側面部の色彩よりも、マンセルチャート（ＪＩＳ）のマンセル値における明度の差が３以上であることを特徴とする画像形成装置としたので、給紙トレイに用紙を積載収容するために装置本体から引き出す給紙トレイ、及び装置本体内部で紙詰まり等が発生した場合に詰まった用紙を取り除くために装置本体に対して開閉する前カバー、及びコンタクトガラス上に直接原稿を載置する場合に開閉する自動原稿送り装置と、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００２９】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバー及び自動原稿送り装置の色彩と同じように明るければ、装置全体に意識が分散し目の焦点も全体的に目移りし、給紙トレイ及び前カバー及び自動原稿送り装置という可動するものに意識を集中できず、逆に画像形成装置の側面部の色彩が、給紙トレイ及び前カバー及び自動原稿送り装置の色彩よりも暗ければ、給紙トレイ及び前カバー及び自動原稿送り装置に意識が集中し目の焦点も前記給紙トレイ及び前カバー及び自動原稿送り装置の方向に移り集中できるためである。
【００３０】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００３１】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【００３２】
この請求項３記載の発明により、給紙トレイの前面部及び前カバーの前面部及び自動原稿送り装置の上面部の色彩のうち少なくとも１つの色彩が、マンセルチャート（ＪＩＳ）のマンセル値における明度が８以上であることを特徴とする請求項１から請求項２のいずれか１項に記載の画像形成装置としたので、給紙トレイに用紙を積載収容するために装置本体から引き出す給紙トレイ、及び装置本体内部で紙詰まり等が発生した場合に詰まった用紙を取り除くために装置本体に対して開閉する前カバー、及びコンタクトガラス上に直接原稿を載置する場合に開閉する自動原稿送り装置と、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００３３】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバー及び自動原稿送り装置の色彩と同じように明るければ、装置全体に意識が分散し目の焦点も全体的に目移りし、給紙トレイ及び前カバー及び自動原稿送り装置という可動するものに意識を集中できず、逆に画像形成装置の側面部の色彩が、給紙トレイ及び前カバー及び自動原稿送り装置の色彩よりも暗ければ、給紙トレイ及び前カバー及び自動原稿送り装置に意識が集中し目の焦点も前記給紙トレイ及び前カバー及び自動原稿送り装置の方向に移り集中できるためである。
【００３４】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００３５】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【００３６】
この請求項４記載の発明により、操作部の色彩が、装置本体の左側面部と装置本体の右側面部の色彩と略同等としたことを特徴とする請求項１から請求項３のいずれか１項に記載の画像形成装置としたので、より一層、給紙トレイに用紙を積載収容するために装置本体から引き出す給紙トレイ、及び装置本体内部で紙詰まり等が発生した場合に詰まった用紙を取り除くために装置本体に対して開閉する前カバー、及びコンタクトガラス上に直接原稿を載置する場合に開閉する自動原稿送り装置と、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００３７】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバー及び自動原稿送り装置の色彩と同じように明るければ、装置全体に意識が分散し目の焦点も全体的に目移りし、給紙トレイ及び前カバー及び自動原稿送り装置という可動するものに意識を集中できず、逆に画像形成装置の側面部の色彩が、給紙トレイ及び前カバー及び自動原稿送り装置の色彩よりも暗ければ、給紙トレイ及び前カバー及び自動原稿送り装置に意識が集中し目の焦点も前記給紙トレイ及び前カバー及び自動原稿送り装置の方向に移り集中できるためである。
【００３８】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００３９】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【００４０】
この請求項５記載の発明により、給紙トレイの前面部に設けられた取手部の色彩が、給紙トレイの前面部の色彩よりも暗いことを特徴とする請求項１から請求項４のいずれか１項に記載の画像形成装置としたので、給紙トレイに用紙を積載収容するために装置本体から引き出す給紙トレイと取手との識別性が上がり視認性が向上する。つまり給紙トレイに対する取手の大きさ及び位置を容易に認識することができ、ユーザーの操作性及び作業性を向上させるという効果がある。
【００４１】
また、上記請求項１から請求項４のいずれか１項に記載の発明と組み合わせることで、給紙トレイに用紙を積載収容するために装置本体から引き出す給紙トレイ、及び装置本体内部で紙詰まり等が発生した場合に詰まった用紙を取り除くために装置本体に対して開閉する前カバー、及びコンタクトガラス上に直接原稿を載置する場合に開閉する自動原稿送り装置と、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００４２】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００４３】
この請求項６記載の発明により、給紙トレイの前面部に設けられた取手部の色彩が、給紙トレイの前面部の色彩よりも、マンセルチャート（ＪＩＳ）のマンセル値における明度の差が３以上であることを特徴とする請求項１から請求項４のいずれか１項に記載の画像形成装置としたので、給紙トレイに用紙を積載収容するために装置本体から引き出す給紙トレイと取手との識別性が上がり視認性が向上する。つまり給紙トレイに対する取手の大きさ及び位置を容易に認識することができ、ユーザーの操作性及び作業性を向上させるという効果がある。
【００４４】
また、上記請求項１から請求項４のいずれか１項に記載の発明と組み合わせることで、給紙トレイに用紙を積載収容するために装置本体から引き出す給紙トレイ、及び装置本体内部で紙詰まり等が発生した場合に詰まった用紙を取り除くために装置本体に対して開閉する前カバー、及びコンタクトガラス上に直接原稿を載置する場合に開閉する自動原稿送り装置と、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００４５】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００４６】
この請求項７記載の発明により、給紙トレイの前面部に設けられた取手部の色彩が、マンセルチャート（ＪＩＳ）のマンセル値における明度が２以下であることを特徴とする請求項５から請求項６のいずれか１項に記載の画像形成装置としたので、給紙トレイに用紙を積載収容するために装置本体から引き出す給紙トレイと取手との識別性が上がり視認性が向上する。つまり給紙トレイに対する取手の大きさ及び位置を容易に認識することができ、ユーザーの操作性及び作業性を向上させるという効果がある。
【００４７】
また、上記請求項５から請求項６のいずれか１項に記載の発明と組み合わせることで、給紙トレイに用紙を積載収容するために装置本体から引き出す給紙トレイ、及び装置本体内部で紙詰まり等が発生した場合に詰まった用紙を取り除くために装置本体に対して開閉する前カバー、及びコンタクトガラス上に直接原稿を載置する場合に開閉する自動原稿送り装置と、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００４８】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００４９】
この請求項８記載の発明により、給紙トレイの前面部に設けられた取手部の色彩が、装置本体の左側面部と装置本体の右側面部の色彩と略同等としたことを特徴とする請求項５から請求項７のいずれか１項に記載の画像形成装置としたので、より一層、給紙トレイに用紙を積載収容するために装置本体から引き出す給紙トレイと取手との識別性が上がり視認性が向上する。つまり給紙トレイに対する取手の大きさ及び位置を容易に認識することができ、ユーザーの操作性及び作業性を向上させるという効果がある。
【００５０】
また、上記請求項５から請求項７のいずれか１項に記載の発明と組み合わせることで、給紙トレイに用紙を積載収容するために装置本体から引き出す給紙トレイ、及び装置本体内部で紙詰まり等が発生した場合に詰まった用紙を取り除くために装置本体に対して開閉する前カバー、及びコンタクトガラス上に直接原稿を載置する場合に開閉する自動原稿送り装置と、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００５１】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００５２】
この請求項９記載の発明により、
（Ｂｙ−Ｂｘ）≧Ｌｘ／（７×Ｌｙ）
１０．０≧（Ｂｙ−Ｂｘ）≧３．０
Ｂｘ＝装置本体の側面部における明度
Ｂｙ＝給紙トレイ又は前カバーの側面部における明度
Ｌｘ＝装置本体の側面部における略水平方向の最大距離
Ｌｙ＝給紙トレイ又は前カバーの側面部における略水平方向の最大距離
上記の式を満たすことを特徴とする画像形成装置としたので、給紙トレイに用紙を積載収容するために装置本体から引き出す給紙トレイ、及び装置本体内部で紙詰まり等が発生した場合に詰まった用紙を取り除くために装置本体に対して開閉する前カバーと、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００５３】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバーの色彩と同じように明るければ、装置全体に意識が分散し目の焦点も全体的に目移りし、給紙トレイ及び前カバーという可動するものに意識を集中できず、逆に画像形成装置の側面部の色彩が、給紙トレイ及び前カバーの色彩よりも暗ければ、給紙トレイ及び前カバーに意識が集中し目の焦点も前記給紙トレイ及び前カバーの方向に移り集中できるためである。
【００５４】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００５５】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【００５６】
この請求項１０記載の発明により、
（Ｂｙ−Ｂｘ）≧Ｌｘ／（７×Ｌｙ）
１０．０≧（Ｂｙ−Ｂｘ）≧３．０
Ｂｘ＝装置本体の側面部における明度
Ｂｙ＝給紙トレイ又は前カバーの側面部における明度
Ｌｘ＝装置本体の側面部における略水平方向の最大距離
Ｌｙ＝給紙トレイ又は前カバーの側面部における略水平方向の最大距離
上記の式を満たすことを特徴とする請求項１から請求項８のいずれか１項に記載の画像形成装置としたので、給紙トレイに用紙を積載収容するために装置本体から引き出す給紙トレイ、及び装置本体内部で紙詰まり等が発生した場合に詰まった用紙を取り除くために装置本体に対して開閉する前カバーと、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００５７】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバーの色彩と同じように明るければ、装置全体に意識が分散し目の焦点も全体的に目移りし、給紙トレイ及び前カバーという可動するものに意識を集中できず、逆に画像形成装置の側面部の色彩が、給紙トレイ及び前カバーの色彩よりも暗ければ、給紙トレイ及び前カバーに意識が集中し目の焦点も前記給紙トレイ及び前カバーの方向に移り集中できるためである。
【００５８】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００５９】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【００６０】
この請求項１１記載の発明により、
（Ｂｚ−Ｂｖ）≧Ｌｚ／（３×２×Ｌｖ）
１０．０≧Ｂｚ−Ｂｖ≧３．０
Ｂｚ＝給紙トレイ又は前カバーの前面部における明度
Ｂｖ＝装置本体の前面端部における明度
Ｌｚ＝給紙トレイ又は前カバーの前面部における略水平方向の最大距離
Ｌｖ＝装置本体の前面端部における略水平方向の最大距離
上記の式を満たすことを特徴とする画像形成装置としたので、給紙トレイに用紙を積載収容するために装置本体から引き出す給紙トレイ、及び装置本体内部で紙詰まり等が発生した場合に詰まった用紙を取り除くために装置本体に対して開閉する前カバーと、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００６１】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバーの色彩と同じように明るければ、装置全体に意識が分散し目の焦点も全体的に目移りし、給紙トレイ及び前カバーという可動するものに意識を集中できず、逆に画像形成装置の側面部の色彩が、給紙トレイ及び前カバーの色彩よりも暗ければ、給紙トレイ及び前カバーに意識が集中し目の焦点も前記給紙トレイ及び前カバーの方向に移り集中できるためである。
【００６２】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００６３】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【００６４】
この請求項１２記載の発明により、
（Ｂｚ−Ｂｖ）≧Ｌｚ／（３×２×Ｌｖ）
１０．０≧Ｂｚ−Ｂｖ≧３．０
Ｂｚ＝給紙トレイ又は前カバーの前面部における明度
Ｂｖ＝装置本体の前面端部における明度
Ｌｚ＝給紙トレイ又は前カバーの前面部における略水平方向の最大距離
Ｌｖ＝装置本体の前面端部における略水平方向の最大距離
上記の式を満たすことを特徴とする請求項１から請求項８のいずれか１項に記載の画像形成装置としたので、給紙トレイに用紙を積載収容するために装置本体から引き出す給紙トレイ、及び装置本体内部で紙詰まり等が発生した場合に詰まった用紙を取り除くために装置本体に対して開閉する前カバーと、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００６５】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバーの色彩と同じように明るければ、装置全体に意識が分散し目の焦点も全体的に目移りし、給紙トレイ及び前カバーという可動するものに意識を集中できず、逆に画像形成装置の側面部の色彩が、給紙トレイ及び前カバーの色彩よりも暗ければ、給紙トレイ及び前カバーに意識が集中し目の焦点も前記給紙トレイ及び前カバーの方向に移り集中できるためである。
【００６６】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００６７】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【発明を実施するための最良の形態】
【００６８】
以下、添付図面に示す具体例に基づいて本発明を説明する。尚、以下の実施形態は本発明を具体化した一例であって本発明の技術的範囲を限定する性格のものではない。
図１は、本発明の画像形成装置を示す一例である。一般的に画像形成装置１００は、自動原稿送り装置２００、スキャナー部３００、本体ハウジング部４００とからなる。さらにスキャナー部３００には、前方部に操作部３１０が配置されていて、ユーザーが操作部３１０に入力することによって、画像形成装置１００の操作を行う。
そして、本体ハウジング部４００の下部前面には給紙トレイ５００が装置本体に対して出し入れ可能に収納され、本体ハウジング４００の上部前面には前カバー６００が装置本体に対して開閉可能に装着されている。また本体ハウジング４００の側面部には、装置本体内部で詰まった用紙を取り除くための開閉カバー４５０、４６０が設けられている。
図６は、本発明の画像形成装置を示す他の例である。
【００６９】
（Ａ）第１の発明  （請求項１）
給紙トレイの前面部及び前カバーの前面部及び自動原稿送り装置の上面部の色彩のうち少なくとも１つの色彩が、装置本体の左側面部と装置本体の右側面部の色彩よりも、明るいことを特徴とする画像形成装置の第１の発明を図２から図５に基づいて説明する。
給紙トレイの前面部５１０及び前カバーの前面部６１０及び自動原稿送り装置の上面部２１０の色彩のうち少なくとも１つの色彩が、装置本体の左側面部４１０と装置本体の右側面部４２０の色彩よりも、明るいことを特徴とする発明である。
色彩が明るいということは、例えば、ＪＩＳで定められているマンセルチャートのマンセルの値が高く、例えば、Ｎ８〜Ｎ９．５ぐらいの範囲をいう。
【００７０】
この発明により、給紙トレイに用紙を積載収容するために装置本体から引き出す給紙トレイ、及び装置本体内部で紙詰まり等が発生した場合に詰まった用紙を取り除くために装置本体に対して開閉する前カバーと、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００７１】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバーの色彩と同じように明るければ、装置全体に意識が分散し目の焦点も全体的に目移りし、給紙トレイ及び前カバーという可動するものに意識を集中できず、逆に画像形成装置の側面部の色彩が、給紙トレイ及び前カバーの色彩よりも暗ければ、給紙トレイ及び前カバーに意識が集中し目の焦点も前記給紙トレイ及び前カバーの方向に移り集中できるためである。
【００７２】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００７３】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【００７４】
（Ｂ）第２の発明  （請求項２）
給紙トレイの前面部及び前カバーの前面部及び自動原稿送り装置の上面部の色彩のうち少なくとも１つの色彩が、装置本体の左側面部と装置本体の右側面部の色彩よりも、マンセルチャート（ＪＩＳ）のマンセル値における明度の差が３以上であることを特徴とする画像形成装置の第２の発明を図２から図５に基づいて説明する。
給紙トレイの前面部５１０及び前カバーの前面部６１０及び自動原稿送り装置の上面部２１０の色彩のうち少なくとも１つの色彩が、装置本体の左側面部４１０と装置本体の右側面部４２０の色彩よりも、マンセルチャート（ＪＩＳ）のマンセル値における明度の差が３以上であることを特徴とする発明である。
【００７５】
この発明により、給紙トレイに用紙を積載収容するために装置本体から引き出す給紙トレイ、及び装置本体内部で紙詰まり等が発生した場合に詰まった用紙を取り除くために装置本体に対して開閉する前カバーと、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００７６】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバーの色彩と同じように明るければ、装置全体に意識が分散し目の焦点も全体的に目移りし、給紙トレイ及び前カバーという可動するものに意識を集中できず、逆に画像形成装置の側面部の色彩が、給紙トレイ及び前カバーの色彩よりも暗ければ、給紙トレイ及び前カバーに意識が集中し目の焦点も前記給紙トレイ及び前カバーの方向に移り集中できるためである。
【００７７】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００７８】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【００７９】
（Ｃ）第３の発明  （請求項３）
給紙トレイの前面部及び前カバーの前面部及び自動原稿送り装置の上面部の色彩のうち少なくとも１つの色彩が、マンセルチャート（ＪＩＳ）のマンセル値における明度が８以上であることを特徴とする請求項１から請求項２のいずれか１項に記載の画像形成装置の第３の発明を図２及び図５に基づいて説明する。
給紙トレイの前面部５１０及び前カバーの前面部６１０及び自動原稿送り装置の上面部２１０の色彩のうち少なくとも１つの色彩が、マンセルチャート（ＪＩＳ）のマンセル値における明度が８以上であることを特徴とする発明である。
【００８０】
この発明により、給紙トレイに用紙を積載収容するために装置本体から引き出す給紙トレイ、及び装置本体内部で紙詰まり等が発生した場合に詰まった用紙を取り除くために装置本体に対して開閉する前カバーと、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００８１】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバーの色彩と同じように明るければ、装置全体に意識が分散し目の焦点も全体的に目移りし、給紙トレイ及び前カバーという可動するものに意識を集中できず、逆に画像形成装置の側面部の色彩が、給紙トレイ及び前カバーの色彩よりも暗ければ、給紙トレイ及び前カバーに意識が集中し目の焦点も前記給紙トレイ及び前カバーの方向に移り集中できるためである。
【００８２】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００８３】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【００８４】
（Ｄ）第４の発明  （請求項４）
操作部の色彩が、装置本体の左側面部と装置本体の右側面部の色彩と略同等としたことを特徴とする請求項１から請求項３のいずれか１項に記載の画像形成装置の第４の発明を図３から図５に基づいて説明する。
操作部３１０の色彩が、装置本体の左側面部４１０と装置本体の右側面部４２０の色彩と略同等としたことを特徴とする発明である。
【００８５】
この発明により、より一層、給紙トレイに用紙を積載収容するために装置本体から引き出す給紙トレイ、及び装置本体内部で紙詰まり等が発生した場合に詰まった用紙を取り除くために装置本体に対して開閉する前カバーと、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００８６】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバーの色彩と同じように明るければ、装置全体に意識が分散し目の焦点も全体的に目移りし、給紙トレイ及び前カバーという可動するものに意識を集中できず、逆に画像形成装置の側面部の色彩が、給紙トレイ及び前カバーの色彩よりも暗ければ、給紙トレイ及び前カバーに意識が集中し目の焦点も前記給紙トレイ及び前カバーの方向に移り集中できるためである。
【００８７】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００８８】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【００８９】
（Ｅ）第５の発明  （請求項５）
給紙トレイの前面部に設けられた取手部の色彩が、給紙トレイの前面部の色彩よりも、暗いことを特徴とする請求項１から請求項４のいずれか１項に記載の画像形成装置の第５の発明を図２に基づいて説明する。
給紙トレイの前面部に設けられた取手部５２０の色彩が、給紙トレイの前面部５１０の色彩よりも、暗いことを特徴とする発明である。
【００９０】
この発明により、給紙トレイの前面部に設けられた取手部の色彩が、給紙トレイの前面部の色彩よりも暗いこととしたので、給紙トレイに用紙を積載収容するために装置本体から引き出す給紙トレイと取手との識別性が上がり視認性が向上する。つまり給紙トレイに対する取手の大きさ及び位置を容易に認識することができ、ユーザーの操作性及び作業性を向上させるという効果がある。
【００９１】
また、上記請求項１から請求項４のいずれか１項に記載の発明と組み合わせることで、給紙トレイに用紙を積載収容するために装置本体から引き出す給紙トレイ、及び装置本体内部で紙詰まり等が発生した場合に詰まった用紙を取り除くために装置本体に対して開閉する前カバー、及びコンタクトガラス上に直接原稿を載置する場合に開閉する自動原稿送り装置と、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００９２】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００９３】
（Ｆ）第６の発明  （請求項６）
給紙トレイの前面部に設けられた取手部の色彩が、給紙トレイの前面部の色彩よりも、マンセルチャート（ＪＩＳ）のマンセル値における明度の差が３以上であることを特徴とする請求項１から請求項４のいずれか１項に記載の画像形成装置の第６の発明を図２に基づいて説明する。
給紙トレイの前面部に設けられた取手部５２０の色彩が、給紙トレイの前面部５１０の色彩よりも、マンセルチャート（ＪＩＳ）のマンセル値における明度の差が３以上であることを特徴とする発明である。
【００９４】
この発明により、給紙トレイの前面部に設けられた取手部の色彩が、給紙トレイの前面部の色彩よりも暗いこととしたので、給紙トレイに用紙を積載収容するために装置本体から引き出す給紙トレイと取手との識別性が上がり視認性が向上する。つまり給紙トレイに対する取手の大きさ及び位置を容易に認識することができ、ユーザーの操作性及び作業性を向上させるという効果がある。
【００９５】
また、上記請求項１から請求項４のいずれか１項に記載の発明と組み合わせることで、給紙トレイに用紙を積載収容するために装置本体から引き出す給紙トレイ、及び装置本体内部で紙詰まり等が発生した場合に詰まった用紙を取り除くために装置本体に対して開閉する前カバー、及びコンタクトガラス上に直接原稿を載置する場合に開閉する自動原稿送り装置と、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【００９６】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【００９７】
（Ｇ）第７の発明  （請求項７）
給紙トレイの前面部に設けられた取手部の色彩が、マンセルチャート（ＪＩＳ）のマンセル値における明度が２以下であることを特徴とする請求項５から請求項６のいずれか１項に記載の画像形成装置の第７の発明を図２に基づいて説明する。
給紙トレイの前面部に設けられた取手部５２０の色彩が、マンセルチャート（ＪＩＳ）のマンセル値における明度が２以下であることを特徴とする発明である。
【００９８】
この発明により、給紙トレイの前面部に設けられた取手部の色彩が、給紙トレイの前面部の色彩よりも暗いこととしたので、給紙トレイに用紙を積載収容するために装置本体から引き出す給紙トレイと取手との識別性が上がり視認性が向上する。つまり給紙トレイに対する取手の大きさ及び位置を容易に認識することができ、ユーザーの操作性及び作業性を向上させるという効果がある。
【００９９】
また、上記請求項５から請求項６のいずれか１項に記載の発明と組み合わせることで、給紙トレイに用紙を積載収容するために装置本体から引き出す給紙トレイ、及び装置本体内部で紙詰まり等が発生した場合に詰まった用紙を取り除くために装置本体に対して開閉する前カバー、及びコンタクトガラス上に直接原稿を載置する場合に開閉する自動原稿送り装置と、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【０１００】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【０１０１】
（Ｈ）第８の発明  （請求項８）
給紙トレイの前面部に設けられた取手部の色彩が、装置本体の左側面部と装置本体の右側面部の色彩と略同等としたことを特徴とする請求項５から請求項７のいずれか１項に記載の画像形成装置の第８の発明を図２から図４に基づいて説明する。
給紙トレイの前面部に設けられた取手部５２０の色彩が、装置本体の左側面部４１０と装置本体の右側面部４２０の色彩と略同等としたことを特徴とする発明である。
【０１０２】
この発明により、より一層、給紙トレイの前面部に設けられた取手部の色彩が、給紙トレイの前面部の色彩よりも暗いこととしたので、給紙トレイに用紙を積載収容するために装置本体から引き出す給紙トレイと取手との識別性が上がり視認性が向上する。つまり給紙トレイに対する取手の大きさ及び位置を容易に認識することができ、ユーザーの操作性及び作業性を向上させるという効果がある。
【０１０３】
また、上記請求項５から請求項７のいずれか１項に記載の発明と組み合わせることで、給紙トレイに用紙を積載収容するために装置本体から引き出す給紙トレイ、及び装置本体内部で紙詰まり等が発生した場合に詰まった用紙を取り除くために装置本体に対して開閉する前カバー、及びコンタクトガラス上に直接原稿を載置する場合に開閉する自動原稿送り装置と、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【０１０４】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【０１０５】
（Ｉ）第９の発明  （請求項９）
（Ｂｙ−Ｂｘ）≧Ｌｘ／（７×Ｌｙ）
１０．０≧（Ｂｙ−Ｂｘ）≧３．０
Ｂｘ＝装置本体の側面部における明度
Ｂｙ＝前カバーの側面部における明度
Ｌｘ＝装置本体の側面部における略水平方向の最大距離
Ｌｙ＝前カバー又は給紙トレイの側面部における略水平方向の最大距離
上記の式を満たすことを特徴とする画像形成装置の第９の発明を、図１から図４に基づいて説明する。
従来、このような画像形成装置では、本体ハウジング４００、給紙トレイ５００、前カバー６００の色彩は、同一もしくは、略同一であった。
さらに従来は、上記の数式をたてて、その数式を満たす範囲に基づいて、本体ハウジング４００、給紙トレイ５００、前カバー６００の最適な色彩を設定するという技術思想は存在しなかった。
つまり、本体ハウジングの側面部４１０、４２０の略水平方向の最大距離に対して給紙トレイ又は前カバーの側面部５３０、６２０の略水平方向の最大距離の占める割合によって、本体ハウジングの側面部４１０、４２０と給紙トレイ又は前カバーの側面部５３０、６２０の最適な色彩の差を決めていなかった。
【０１０６】
そこで、上記の数式を満たすことで、給紙トレイに用紙を積載収容するために装置本体から引き出す給紙トレイ、及び装置本体内部で紙詰まり等が発生した場合に詰まった用紙を取り除くために装置本体に対して開閉する前カバーと、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【０１０７】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバーの色彩と同じように明るければ、装置全体に意識が分散し目の焦点も全体的に目移りし、給紙トレイ及び前カバーという可動するものに意識を集中できず、逆に画像形成装置の側面部の色彩が、給紙トレイ及び前カバーの色彩よりも暗ければ、給紙トレイ及び前カバーに意識が集中し目の焦点も前記給紙トレイ及び前カバーの方向に移り集中できるためである。
【０１０８】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【０１０９】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【０１１０】
例えば、本発明の画像形成装置として、Ｂｘ＝４、Ｂｙ＝８、Ｌｘ＝６３０（ｍｍ）、Ｌｙ＝３０（ｍｍ）を採用した場合には、（Ｂｙ−Ｂｘ）＝４、Ｌｘ／（７×Ｌｙ）＝３になり、上記の数式を満たしているので、本体ハウジング４００に対して給紙トレイ５００及び前カバー６００の視認性が向上し、はっきりとその位置確認が出来るようになる。それにより、ユーザーの操作性を向上させて、安全な画像形成装置を提供できるという効果がある。
【０１１１】
つまり、本体ハウジングの側面部４１０、４２０における略水平方向の最大距離Ｌｘに対する、給紙トレイ又は前カバーの側面部５３０、６２０における略水平方向の最大距離Ｌｙの占める割合が大きくなるに従って、本体ハウジング４００に対する給紙トレイ５００及び前カバー６００の視認性が向上するため、本体ハウジング４００の色彩と給紙トレイ５００及び前カバー６００の色彩との差は小さくてもよい。
【０１１２】
しかし（Ｂｙ−Ｂｘ）＜３の場合は、いくら本体ハウジングの側面部４１０、４２０における略水平方向の最大距離Ｌｘに対する、給紙トレイ又は前カバーの側面部５３０、６２０における略水平方向の最大距離Ｌｙの占める割合が大きくても、本体ハウジング４００に対して給紙トレイ５００及び前カバー６００の視認性が低下しているので、その位置確認が難しくなり、ユーザーの操作性を低下させてしまう。
【０１１３】
また、本体ハウジングの側面部４１０、４２０における略水平方向の最大距離Ｌｘに対する、給紙トレイ又は前カバーの側面部５３０、６２０における略水平方向の最大距離Ｌｙの占める割合が小さくなるに従って、本体ハウジング４００に対する給紙トレイ５００及び前カバー６００の視認性が下がるため、本体ハウジング４００の色彩と給紙トレイ５００及び前カバー６００の色彩との差は大きくしなくてはいけない。
しかしマンセルチャート（ＪＩＳ）のマンセル値における明度は、規格上０〜１０で規定されているため、（Ｂｙ−Ｂｘ）＞１０の場合はありえない。
【０１１４】
（Ｊ）第１０の発明  （請求項１０）
（Ｂｙ−Ｂｘ）≧Ｌｘ／（７×Ｌｙ）
１０．０≧（Ｂｙ−Ｂｘ）≧３．０
Ｂｘ＝装置本体の側面部における明度
Ｂｙ＝前カバーの側面部における明度
Ｌｘ＝装置本体の側面部における略水平方向の最大距離
Ｌｙ＝前カバー又は給紙トレイの側面部における略水平方向の最大距離
上記の式を満たすことを特徴とする請求項１から請求項８のいずれか１項に記載の画像形成装置の第１０の発明を、図１から図４に基づいて説明する。
第９の発明に、第１から第８の発明が加わることにより、より一層、給紙トレイに用紙を積載収容するために装置本体から引き出す給紙トレイ、及び装置本体内部で紙詰まり等が発生した場合に詰まった用紙を取り除くために装置本体に対して開閉する前カバーと、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【０１１５】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバーの色彩と同じように明るければ、装置全体に意識が分散し目の焦点も全体的に目移りし、給紙トレイ及び前カバーという可動するものに意識を集中できず、逆に画像形成装置の側面部の色彩が、給紙トレイ及び前カバーの色彩よりも暗ければ、給紙トレイ及び前カバーに意識が集中し目の焦点も前記給紙トレイ及び前カバーの方向に移り集中できるためである。
【０１１６】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【０１１７】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【０１１８】
（Ｋ）第１１の発明  （請求項１１）
（Ｂｚ−Ｂｖ）≧Ｌｚ／（３×２×Ｌｖ）
１０．０≧Ｂｚ−Ｂｖ≧３．０
Ｂｚ＝給紙トレイ又は前カバーの前面部における明度
Ｂｖ＝装置本体の前面端部における明度
Ｌｚ＝給紙トレイ又は前カバーの前面部における略水平方向の最大距離
Ｌｖ＝装置本体の前面端部における略水平方向の最大距離
上記の式を満たすことを特徴とする画像形成装置の第１１の発明を、図６及び図７に基づいて説明する。
従来、このような画像形成装置では、本体ハウジング４００、給紙トレイ５００、前カバー６００の色彩は、同一もしくは、略同一であった。
さらに従来は、上記の数式をたてて、その数式を満たす範囲に基づいて、本体ハウジング４００、給紙トレイ５００、前カバー６００の最適な色彩を設定するという技術思想は存在しなかった。
つまり、本体ハウジングの前面端部４３０の略水平方向の最大距離に対して給紙トレイ又は前カバーの前面部５１０、６１０の略水平方向の最大距離の占める割合によって、本体ハウジングの前面端部４３０と給紙トレイ又は前カバーの前面部５１０、６１０の最適な色彩の差を決めていなかった。
【０１１９】
そこで、上記の数式を満たすことで、給紙トレイに用紙を積載収容するために装置本体から引き出す給紙トレイ、及び装置本体内部で紙詰まり等が発生した場合に詰まった用紙を取り除くために装置本体に対して開閉する前カバーと、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【０１２０】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバーの色彩と同じように明るければ、装置全体に意識が分散し目の焦点も全体的に目移りし、給紙トレイ及び前カバーという可動するものに意識を集中できず、逆に画像形成装置の側面部の色彩が、給紙トレイ及び前カバーの色彩よりも暗ければ、給紙トレイ及び前カバーに意識が集中し目の焦点も前記給紙トレイ及び前カバーの方向に移り集中できるためである。
【０１２１】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【０１２２】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【０１２３】
例えば、本発明の画像形成装置として、Ｂｚ＝８、Ｂｖ＝４、Ｌｚ＝５７０（ｍｍ）、Ｌｖ＝３０（ｍｍ）を採用した場合には、（Ｂｚ−Ｂｖ）＝４、Ｌｚ／（３×２×Ｌｖ）＝３．１７になり、上記の数式を満たしているので、本体ハウジング４００に対して給紙トレイ５００及び前カバー６００の視認性が向上し、はっきりとその位置確認が出来るようになる。それにより、ユーザーの操作性を向上させて、安全な画像形成装置を提供できるという効果がある。
【０１２４】
つまり、本体ハウジングの前面端部４３０における略水平方向の最大距離Ｌｖに対する、給紙トレイ又は前カバーの前面部５１０、６１０における略水平方向の最大距離Ｌｚの占める割合が小さくなるに従って、本体ハウジング４００に対する給紙トレイ５００及び前カバー６００の視認性が向上するため、本体ハウジング４００の色彩と給紙トレイ５００及び前カバー６００の色彩との差は小さくてもよい。
【０１２５】
しかし（Ｂｚ−Ｂｖ）＜３の場合は、いくら本体ハウジングの前面端部４３０における略水平方向の最大距離Ｌｖに対する、給紙トレイ又は前カバーの前面部５１０、６１０における略水平方向の最大距離Ｌｚの占める割合が小さくても、本体ハウジング４００に対して給紙トレイ５００及び前カバー６００の視認性が低下しているので、その位置確認が難しくなり、ユーザーの操作性を低下させてしまう。
【０１２６】
また、本体ハウジングの前面端部４３０における略水平方向の最大距離Ｌｖに対する、給紙トレイ又は前カバーの前面部５１０、６１０における略水平方向の最大距離Ｌｚの占める割合が大きくなるに従って、本体ハウジング４００に対する給紙トレイ５００及び前カバー６００の視認性が下がるため、本体ハウジング４００の色彩と給紙トレイ５００及び前カバー６００の色彩との差は大きくしなくてはいけない。
しかしマンセルチャート（ＪＩＳ）のマンセル値における明度は、規格上０〜１０で規定されているため、（Ｂｚ−Ｂｖ）＞１０の場合はありえない。
【０１２７】
（Ｌ）第１２の発明  （請求項１２）
（Ｂｚ−Ｂｖ）≧Ｌｚ／（３×２×Ｌｖ）
１０．０≧Ｂｚ−Ｂｖ≧３．０
Ｂｚ＝給紙トレイ又は前カバーの前面部における明度
Ｂｖ＝装置本体の前面端部における明度
Ｌｚ＝給紙トレイ又は前カバーの前面部における略水平方向の最大距離
Ｌｖ＝装置本体の前面端部における略水平方向の最大距離
上記の式を満たすことを特徴とする請求項１から請求項８のいずれか１項に記載の画像形成装置の第１２の発明を、図６及び図７に基づいて説明する。
第１１の発明に、第１から第８の発明が加わることにより、より一層、給紙トレイに用紙を積載収容するために装置本体から引き出す給紙トレイ、及び装置本体内部で紙詰まり等が発生した場合に詰まった用紙を取り除くために装置本体に対して開閉する前カバーと、装置本体との識別性が上がり視認性が向上する。つまり装置本体に対する可動部の大きさを容易に認識することができ、ユーザーの操作性及び作業性を向上させて、安全な画像形成装置を提供できるという効果がある。
【０１２８】
これは、一般的に人間は、明るい方向に意識が向きやすく、その結果、目の焦点も同様に明るい方向に移っていく。言い換えれば、明るいものに意識が集中するという性質をもっているため、画像形成装置の側面部の色彩が、給紙トレイ及び前カバーの色彩と同じように明るければ、装置全体に意識が分散し目の焦点も全体的に目移りし、給紙トレイ及び前カバーという可動するものに意識を集中できず、逆に画像形成装置の側面部の色彩が、給紙トレイ及び前カバーの色彩よりも暗ければ、給紙トレイ及び前カバーに意識が集中し目の焦点も前記給紙トレイ及び前カバーの方向に移り集中できるためである。
【０１２９】
また、装置本体の側面部を暗い色彩にすることで、装置本体の側面部に設けられた開閉カバーを開閉して詰まった用紙を取り除く作業をするときに、装置本体の側面部に設けられた開閉カバーを開けたときに見える装置本体内部及びその状態で見える詰まった用紙と装置本体の側面部との識別性が上がり視認性が向上する。これによってもユーザーの操作性及び作業性を向上させて、安全な画像形成装置を提供できるという効果がある。
【０１３０】
これも上記と同様で、人は明るい色彩の方向に意識が向きやすく、その結果、目の焦点も明るい色彩の方向に移っていくものであり、暗い色彩の中で明るい色彩が存在すると、明るい色彩のところに意識が集中し、同時に目の焦点もその方向に移るためである。これにより、装置本体の側面部に設けられた開閉カバーを開けたときに見える装置本体内部及びその状態で見える詰まった用紙に、ユーザーが意識を集中させることができる。
【図面の簡単な説明】
【０１３１】
【図１】本発明の画像形成装置の全体斜視図
【図２】本発明の画像形成装置の正面図
【図３】本発明の画像形成装置の左側面図
【図４】本発明の画像形成装置の右側面図
【図５】本発明の画像形成装置の上面図
【図６】本発明の他の実施例における画像形成装置の全体斜視図
【図７】本発明の他の実施例における画像形成装置の正面図
【図８】本発明の他の実施例における画像形成装置の左側面図
【図９】本発明の他の実施例における画像形成装置の右側面図
【図１０】本発明の他の実施例における画像形成装置の上面図
【符号の説明】
【０１３２】
１００  画像形成装置
２００  自動原稿送り装置
２１０  自動原稿送り装置の上面部
３００  スキャナー部
３１０  操作部
４００  本体ハウジング
４１０  本体ハウジングの左側面部
４２０  本体ハウジングの右側面部
４３０  本体ハウジングの前面端部
４５０  開閉カバー
４６０  開閉カバー
５００  給紙トレイ
５１０  給紙トレイの前面部
５２０  取手部
５３０  給紙トレイの側面部
６００  前カバー
６１０  前カバーの前面部
６２０  前カバーの側面部
【図１】
2005151367.tif 000003
【図２】
2005151367.tif 000004
【図３】
2005151367.tif 000005
【図４】
2005151367.tif 000006
【図５】
2005151367.tif 000007
【図６】
2005151367.tif 000008
【図７】
2005151367.tif 000009
【図８】
2005151367.tif 000010
【図９】
2005151367.tif 000011
【図１０】
2005151367.tif 000012